(57)【特許請求の範囲】
【請求項１】
コンテンツに関連する動画の検索を目的として、前記コンテンツの内容について登録されるキーワードを管理するキーワード管理部と、
コンテンツの視聴状況を外部の表示装置から取得する視聴状況取得部と、
前記取得した視聴状況を用いて、視聴中の前記コンテンツの内容について登録されているキーワードを特定するキーワード特定部と、
前記特定したキーワードを用いて１以上の外部の動画共有装置により検索された動画から、所定の基準を満たす動画を選択する動画選択部と、
前記選択した動画のうち視聴者により指定された動画を、前記動画共有装置から取得して前記表示装置に提供する動画提供部と、
を備える、動画提供装置。
【請求項２】
前記キーワード管理部は、コンテンツの提供前に登録されるキーワード、およびコンテンツの提供に連動してリアルタイムで登録されるキーワードを管理する、請求項１に記載の動画提供装置。
【請求項３】
前記動画選択部は、前記各動画共有装置により管理される、動画の動画情報に含まれる所定の指標を用いて、前記指標の値が所定の基準を満たす動画を選択する、請求項１に記載の動画提供装置。
【請求項４】
前記所定の指標は、前記動画の再生回数、関連度、人気度、評価度のうち少なくとも１以上から選択される、請求項３に記載の動画提供装置。
【請求項５】
前記動画選択部は、２以上の各動画共有装置の特性に基づいて前記所定の指標の値を評価し、前記評価した指標の値が所定の基準を満たす動画を選択する、請求項３に記載の動画提供装置。
【請求項６】
前記動画選択部は、コンテンツの視聴継続時間に応じた異なる所定の指標を用いて、前記指標の値が所定の基準を満たす動画を選択する、請求項１に記載の動画提供装置。
【請求項７】
前記動画選択部は、コンテンツの視聴継続時間に応じた所定の指標の値を用いて、前記指標の値が所定の基準を満たす動画を選択する、請求項１に記載の動画提供装置。
【請求項８】
前記動画選択部は、前記視聴者による動画の視聴ログを用いて、特定の動画共有装置が管理している動画を優先的に選択する、請求項１に記載の動画提供装置。
【請求項９】
前記動画選択部は、前記視聴者による動画の視聴ログに応じた所定の指標を用いて、前記指標の値が所定の基準を満たす動画を選択する、請求項１に記載の動画提供装置。
【請求項１０】
前記動画選択部は、前記視聴者による動画の視聴ログを用いて、前記視聴中のコンテンツに関連するコンテンツについて、前記視聴者により視聴された動画を優先的に選択する、請求項１に記載の動画提供装置。
【請求項１１】
前記動画選択部は、他の視聴者による動画の視聴ログを用いて、前記視聴中のコンテンツ、または前記視聴中のコンテンツに関連するコンテンツについて、前記他の視聴者により視聴された動画を優先的に選択する、請求項１に記載の動画提供装置。
【請求項１２】
一般の視聴者が高い関心を示しうる推薦動画を管理する推薦動画管理部をさらに備え、
前記動画選択部は、前記動画提供装置が管理している動画とともに、前記推薦動画管理部が管理している推薦動画のうちキーワードに該当する推薦動画を選択する、請求項１に記載の動画提供装置。
【請求項１３】
前記動画選択部は、前記表示装置の表示性能に応じた数の動画を選択する、請求項１に記載の動画提供装置。
【請求項１４】
前記動画提供部は、さらに前記視聴中のコンテンツに関連するコンテンツに関する情報を提供する、請求項１に記載の動画提供装置。
【請求項１５】
前記視聴中のコンテンツに関連するコンテンツは、現在提供中のコンテンツである、請求項１４に記載の動画提供装置。
【請求項１６】
コンピュータによって、
コンテンツに関連する動画の検索を目的として、前記コンテンツの内容について登録されるキーワードを管理するステップと、
コンテンツの視聴状況を外部の表示装置から取得するステップと、
前記取得した視聴状況を用いて、視聴中の前記コンテンツの内容について登録されているキーワードを特定するステップと、
前記特定したキーワードを用いて１以上の外部の動画共有装置により検索された動画から、所定の基準を満たす動画を選択するステップと、
前記選択した動画のうち視聴者により指定された動画を、前記動画共有装置から取得して前記表示装置に提供するステップと、
を含む、動画提供方法。
【請求項１７】
コンテンツに関連する動画の検索を目的として、前記コンテンツの内容について登録されるキーワードを管理するステップと、
コンテンツの視聴状況を外部の表示装置から取得するステップと、
前記取得した視聴状況を用いて、視聴中の前記コンテンツの内容について登録されているキーワードを特定するステップと、
前記特定したキーワードを用いて１以上の外部の動画共有装置により検索された動画から、所定の基準を満たす動画を選択するステップと、
前記選択した動画のうち視聴者により指定された動画を、前記動画共有装置から取得して前記表示装置に提供するステップと、
を含む動画提供方法をコンピュータに実行させるためのプログラム。
【発明の詳細な説明】
【技術分野】
【０００１】
本発明は、動画提供装置、動画提供方法およびプログラムに関する。
【背景技術】
【０００２】
近年、テレビジョン受像機（以下、テレビとも称する。）等の表示装置を用いたコンテンツの視聴に際して、コンテンツに関連する動画を動画共有サイトから検索してテレビに提供するシステムが実用化されている。このシステムでは、例えばコンテンツのＥＰＧ（電子番組案内）情報に含まれる情報を用いて、多数の動画からコンテンツに関連する動画が検索されて提供される。
【発明の概要】
【発明が解決しようとする課題】
【０００３】
しかし、従来のシステムでは、コンテンツの視聴者が所望する適切な動画を検索して提供することができない場合があった。この一因としては、ＥＰＧ情報に含まれる情報がコンテンツの案内を本来の目的としており、コンテンツに関連する動画の検索を本来の目的としていないことが考えられる。
【０００４】
例えば、ＥＰＧ情報を用いる場合、ＥＰＧ情報に含まれる情報のうち、どの情報を検索キーワードとして用いるかという問題がある。また、そもそもＥＰＧ情報に含まれていない情報を検索キーワードとして用いることができないという問題もある。
【０００５】
そこで、本発明は、コンテンツの視聴者が所望する動画を適切に検索して提供可能な、動画提供装置、動画提供方法およびプログラムを提供しようとするものである。
【課題を解決するための手段】
【０００６】
本発明のある実施形態によれば、コンテンツに関連する動画の検索を目的として、コンテンツについて登録されるキーワードを管理するキーワード管理部と、コンテンツの視聴状況を外部の表示装置から取得する視聴状況取得部と、取得した視聴状況を用いて、視聴中のコンテンツについて登録されているキーワードを特定するキーワード特定部と、特定したキーワードを用いて１以上の外部の動画共有装置により検索された動画から、所定の基準を満たす動画を選択する動画選択部と、選択した動画のうち視聴者により指定された動画を、動画共有装置から取得して表示装置に提供する動画提供部と、を備える、動画提供装置が提供される。
【０００７】
かかる構成によれば、動画提供装置は、コンテンツの視聴状況を表示装置から取得し、視聴中のコンテンツについて、コンテンツに関連する動画の検索を目的として登録されているキーワードを特定する。そして、動画提供装置は、キーワードを用いて１以上の動画共有装置により検索された動画から所定の基準を満たす動画を選択し、選択した動画のうち視聴者により指定された動画を動画共有装置から取得して表示装置に提供する。これにより、コンテンツに関連する動画の検索を本来の目的としてキーワードを登録することで、コンテンツの視聴者が所望する動画を適切に検索して提供することができる。
【０００８】
また、上記キーワード管理部は、コンテンツの提供前に登録されるキーワード、およびコンテンツの提供に連動してリアルタイムで登録されるキーワードを管理してもよい。
【０００９】
また、上記動画選択部は、各動画共有装置により管理される、動画の動画情報に含まれる所定の指標を用いて、指標の値が所定の基準を満たす動画を選択してもよい。ここで、上記所定の指標は、動画の再生回数、関連度、人気度、評価度のうち少なくとも１以上から選択されてもよい。また、上記動画選択部は、２以上の各動画共有装置の特性に基づいて所定の指標の値を評価し、評価した指標の値が所定の基準を満たす動画を選択してもよい。
【００１０】
また、上記動画選択部は、コンテンツの視聴継続時間に応じた異なる所定の指標を用いて、指標の値が所定の基準を満たす動画を選択してもよい。また、上記動画選択部は、コンテンツの視聴継続時間に応じた所定の指標の値を用いて、指標の値が所定の基準を満たす動画を選択してもよい。
【００１１】
また、上記動画選択部は、視聴者による動画の視聴ログを用いて、特定の動画共有装置が管理している動画を優先的に選択してもよい。また、上記動画選択部は、視聴者による動画の視聴ログに応じた所定の指標を用いて、指標の値が所定の基準を満たす動画を選択してもよい。また、上記動画選択部は、視聴者による動画の視聴ログを用いて、視聴中のコンテンツに関連するコンテンツについて、視聴者により視聴された動画を優先的に選択してもよい。
【００１２】
また、上記動画選択部は、他の視聴者による動画の視聴ログを用いて、視聴中のコンテンツ、または視聴中のコンテンツに関連するコンテンツについて、他の視聴者により視聴された動画を優先的に選択してもよい。
【００１３】
また、上記動画提供装置は、一般の視聴者が高い関心を示しうる推薦動画を管理する推薦動画管理部をさらに備え、上記動画選択部は、動画提供装置が管理している動画とともに、推薦動画管理部が管理している推薦動画のうちキーワードに該当する推薦動画を選択してもよい。
【００１４】
また、上記動画選択部は、表示装置の表示性能に応じた数の動画を選択してもよい。
【００１５】
また、上記動画提供部は、さらに視聴中のコンテンツに関連するコンテンツに関する情報を提供してもよい。ここで、上記視聴中のコンテンツに関連するコンテンツは、現在提供中のコンテンツでもよい。
【００１６】
また、本発明の別の実施形態によれば、コンピュータによって、コンテンツに関連する動画の検索を目的として、コンテンツについて登録されるキーワードを管理するステップと、コンテンツの視聴状況を外部の表示装置から取得するステップと、取得した視聴状況を用いて、視聴中のコンテンツについて登録されているキーワードを特定するステップと、特定したキーワードを用いて１以上の外部の動画共有装置により検索された動画から、所定の基準を満たす動画を選択するステップと、選択した動画のうち視聴者により指定された動画を、動画共有装置から取得して表示装置に提供するステップと、を含む、動画提供方法が提供される。
【００１７】
さらに、本発明の別の実施形態によれば、上記動画提供方法をコンピュータに実行させるためのプログラムが提供される。ここで、プログラムは、コンピュータ読取り可能な記録媒体を用いて提供されてもよく、通信手段を介して提供されてもよい。
【発明の効果】
【００１８】
以上説明したように本発明によれば、コンテンツの視聴者が所望する動画を適切に検索して提供可能な、動画提供装置、動画提供方法およびプログラムを提供することができる。
【図面の簡単な説明】
【００１９】
【図１】本発明の一実施形態に係る動画提供サーバを含む動画提供システムを示す図である。
【図２】動画提供サーバの主要な機能構成を示すブロック図である。
【図３】コンテンツのキーワードの登録方法を示す図である。
【図４】テレビジョン受像機の主要な機能構成を示すブロック図である。
【図５】動画提供方法の基本的な手順を示すシーケンス図である。
【図６】動画の指標値を用いた動画の選択方法を示す図である。
【図７Ａ】コンテンツの視聴継続時間を用いた動画の選択方法を示す図である。
【図７Ｂ】コンテンツの視聴継続時間を用いた動画の選択方法を示す図である。
【図８Ａ】視聴者による動画の視聴ログを用いた動画の選択方法を示す図である。
【図８Ｂ】視聴者による動画の視聴ログを用いた動画の選択方法を示す図である。
【図８Ｃ】視聴者による動画の視聴ログを用いた動画の選択方法を示す図である。
【図９】他の視聴者による動画の視聴ログを用いた動画の選択方法を示す図である。
【図１０Ａ】動画の表示方法を示す図である。
【図１０Ｂ】動画の表示方法を示す図である。
【図１０Ｃ】動画の表示方法を示す図である。
【図１０Ｄ】動画の表示方法を示す図である。
【図１１】動画提供サーバのハードウェア構成を示すブロック図である。
【発明を実施するための形態】
【００２０】
以下に添付図面を参照しながら、本発明の好適な実施の形態について詳細に説明する。なお、本明細書および図面において、実質的に同一の機能構成を有する構成要素については、同一の符号を付することにより重複説明を省略する。
【００２１】
［１．動画提供システムの構成］
図１は、本発明の一実施形態に係る動画提供サーバ１００を含む動画提供システムを示す図である。図１に示すように、動画提供システムは、動画提供サーバ１００、テレビジョン受像機２００（以下、テレビ２００とも称する。）、１以上の動画共有サーバ１０ａ〜１０ｃ、１以上のサービスサーバ２０ａ、２０ｂを含む。動画提供サーバ１００は、ネットワークＮＷを介して、テレビ２００、動画共有サーバ１０、およびサービスサーバ２０に接続される。
【００２２】
動画提供サーバ１００は、テレビ２００で視聴中のコンテンツに関連する動画をテレビ２００に提供する。動画提供サーバ１００は、動画共有サーバ１０からコンテンツに関連する動画を取得し、サービスサーバ２０からコンテンツに関連する情報等を取得する。テレビ２００は、コンテンツ、コンテンツに関連する動画等を表示する。なお、テレビ２００は、パーソナルコンピュータ、ＰＤＡ、携帯電話等からなる表示装置の一例である。
【００２３】
動画共有サーバ１０は、不図示のユーザ端末の間で、ユーザ端末からアップロードされる動画の共有を実現する。動画共有サーバ１０は、動画検索機能を有し、キーワードの指示に応じて、キーワードに該当する動画を検索する。また、動画共有サーバ１０は、動画管理機能を有し、ユーザによる動画の視聴状況に基づいて動画を管理する。サービスサーバ２０は、コンテンツの関連情報等を管理しており、取得要求に応じて、取得要求に該当する情報を提供する。
【００２４】
視聴者は、コンテンツの視聴に際して、コンテンツに関連する動画を動画提供サーバ１００から取得して視聴することができる。具体的に、動画提供サーバ１００は、コンテンツの視聴状況をテレビ２００から取得し、取得した視聴状況を用いて、視聴中のコンテンツについて登録されているキーワードを特定する。次に、動画提供サーバ１００は、特定したキーワードを用いて１以上の動画共有サーバ１０により検索された動画から、所定の基準を満たす動画を選択する。そして、動画提供サーバ１００は、選択した動画のうち視聴者により指定された動画を、動画共有サーバ１０から取得してテレビ２００に提供する。
【００２５】
ここで、視聴中のコンテンツに関連する動画は、視聴中のコンテンツについて、コンテンツに関連する動画の検索を目的として登録されているキーワードを用いて検索される。これにより、コンテンツに関連する動画の検索を本来の目的としてキーワードを登録することで、コンテンツの視聴者が所望する動画を適切に検索して提供することができる。
【００２６】
［２．動画提供サーバ１００の構成］
図２は、動画提供サーバ１００の主要な機能構成を示すブロック図である。図３は、キーワードの登録方法を示す図である。図２に示すように、動画提供サーバ１００は、キーワード管理部１０１、視聴状況取得部１０３、キーワード特定部１０５、動画選択部１０７、動画提供部１０９、推薦動画管理部１１１、視聴ログ管理部１１３を含む。
【００２７】
キーワード管理部１０１は、コンテンツについて登録される１以上のキーワードを、コンテンツのＩＤ等に関連付けて管理する。なお、キーワード管理部１０１は、動画について登録されるキーワードを動画のＩＤ等に関連付けて管理してもよい。
【００２８】
図３には、コンテンツのキーワードの登録方法が示されている。図３に示すように、コンテンツのキーワードは、動画提供サーバ１００の管理者ＯＰにより登録される。コンテンツのキーワードは、コンテンツに関連する動画の検索を目的として登録される。
【００２９】
コンテンツのキーワードは、事前キーワードおよびリアルタイムキーワードとして登録される。事前キーワードは、コンテンツ情報、コンテンツの編成情報、コンテンツに関連する関連画像等を用いて、コンテンツの提供前に登録される。一方、リアルタイムキーワードは、リアルタイムで変化するコンテンツ自体の内容の変化をモニタリングすることで、コンテンツの提供に連動して登録される。
【００３０】
リアルタイムキーワードは、例えばスポーツ番組の実況中継等、コンテンツの提供前よりも提供に連動して登録されるキーワードによって、より適切な動画の検索を可能にするために登録される。なお、リアルタイムキーワードは、事前キーワードに代えて登録されてもよく、事前キーワードとは別に登録されてもよい。
【００３１】
なお、動画に関連する他の動画およびコンテンツの検索を目的として動画のキーワードを登録する場合、動画のキーワードは、動画情報（アップロード元、動画の詳細、概要説明、関連画像等）を用いて、動画のＩＤ等に関連付けて登録される。
【００３２】
視聴状況取得部１０３は、コンテンツおよび動画の視聴状況をテレビ２００から取得する。視聴状況は、視聴者のユーザ情報と、テレビ２００で視聴中のコンテンツまたは動画を特定可能な情報を含む。
【００３３】
視聴者のユーザ情報は、視聴者のＩＤ等、ネットワークＮＷ上で視聴者を特定可能な情報を含み、視聴者のプロフィール（年代、性別、居住地域等）を含んでもよい。なお、視聴者のユーザ情報の代わりに、テレビ２００のＩＤ（ＡｍＣアドレス等）が取得されてもよい。コンテンツまたは動画を特定可能な情報は、コンテンツまたは動画のＩＤ等である。コンテンツを特定可能な情報は、コンテンツが提供されるチャンネルのＩＤでもよい。
【００３４】
キーワード特定部１０５は、コンテンツまたは動画の視聴状況を用いて、視聴中のコンテンツまたは動画について登録されているキーワードを特定する。キーワードは、コンテンツＩＤまたは動画ＩＤから特定される。コンテンツの場合、キーワードは、チャンネルＩＤおよび時刻情報から特定されてもよい。
【００３５】
動画選択部１０７は、詳細は後述するが、キーワードを用いて１以上の動画共有サーバ１０により検索された動画から、所定の基準を満たす動画を選択する。動画選択部１０７は、キーワードを１以上の動画共有サーバ１０に送信し、キーワードを用いて検索された１以上の動画の動画情報を動画共有サーバ１０から受信する。
【００３６】
ここで、動画情報は、動画のＩＤ、動画の詳細（アップロード元、動画の詳細、概要説明、関連画像等）、指標値（動画の再生回数、関連度、人気度、評価度等）等を含み、各動画共有サーバ１０により管理されている。
【００３７】
再生回数とは、各動画共有サーバ１０を利用する不特定多数のユーザにより再生された、動画の延べ再生回数を示す。関連度とは、動画間の関連の強さを示し、動画の詳細等に基づいて求められる。人気度とは、特定のサービス地域内での動画の相対的な人気を示し、人気度が「９０」の場合、当該動画よりも再生回数の多い他の動画が１０個あることを意味する。評価度とは、不特定多数のユーザによる動画の評価結果を示し、所定の評価指標等を用いて動画を定量的に評価するものである。
【００３８】
また、動画選択部１０７は、後述するように、一般の視聴者が高い関心を示しうる動画として推薦動画管理部１１１により管理されている動画のうち、キーワードに該当する動画を選択してもよい。さらに、動画選択部１０７は、サービスサーバ２０により管理されているコンテンツの情報、コンテンツに関連する広告情報、コンテンツに関連する他のコンテンツの情報等のうち、キーワードに該当する情報を選択してもよい。
【００３９】
動画選択部１０７は、詳細は後述するが、所定の基準を用いて、所定数の動画を選択する。所定の基準とは、動画の指標値、コンテンツの視聴継続時間、視聴者または他の視聴者による動画の視聴ログ等に基づくものである。所定数とは、テレビ２００による表示に適した数を意味し、テレビ２００の表示性能（表示画面のサイズ等）に応じて設定されることが望ましい。
【００４０】
動画提供部１０９は、選択された動画の動画情報をテレビ２００に提供する。また、動画提供部１０９は、動画情報の提供に応じて、選択された動画のうち視聴者により指定された動画を、動画共有サーバ１００から取得してテレビ２００に提供する。
【００４１】
推薦動画管理部１１１は、コンテンツに依存せずに登録される推薦動画を管理する。推薦動画とは、動画共有サーバ１０に管理されている動画のうち、特に一般の視聴者が高い関心を示しうる動画である。推薦動画は、推薦動画の内容に応じて設定される設定キーワードに関連付けて、動画提供サーバ１００の管理者ＯＰにより動画情報とともに登録される。
【００４２】
視聴ログ管理部１１３は、視聴者による動画の視聴状況を示す視聴ログを管理する。視聴ログは、コンテンツまたは他の動画に関連して視聴された動画のＩＤ、視聴日時、当該コンテンツのＩＤ等からなり、動画情報を含んでもよい。視聴ログは、視聴者による動画の視聴状況を用いて生成され、視聴者のＩＤ等に関連付けて管理される。
【００４３】
［３．テレビジョン受像機の構成］（ＳＮＹ０８４８３参照）
図４は、テレビジョン受像機２００の主要な機能構成を示すブロック図である。図４に示すように、テレビ２００は、コンテンツ取得部２０１、コンテンツ再生部２０３、視聴状況提供部２０５、動画取得部２０７、動画再生部２０９、画像生成部２１１、映像表示部２１３を含む。
【００４４】
コンテンツ取得部２０１は、視聴者のチャンネル操作等に応じて、アンテナ２１５、ネットワークＮＷ等を介して、コンテンツを取得する。コンテンツ再生部２０３は、取得されたコンテンツを再生するために、信号分離、デコード等の再生処理を行い、処理後のデータを画像生成部２１１に供給する。
【００４５】
視聴状況提供部２０５は、コンテンツまたは動画の視聴状況を動画提供サーバ１００に提供する。動画取得部２０７は、視聴中のコンテンツまたは動画に関連する動画、動画情報等を動画提供サーバ１００から取得する。動画再生部２０９は、取得された動画等を再生するために、信号分離、デコード等の再生処理を行い、処理後のデータを画像生成部２１１に供給する。
【００４６】
画像生成部２１１は、コンテンツ再生部２０３および動画再生部２０９から供給されるコンテンツおよび動画等の映像信号から、映像表示部２１３に表示させる表示画像を生成する。映像表示部２１３は、生成されたコンテンツおよび動画等の映像を表示する。
【００４７】
［４．動画の提供方法］
以下では、図５〜図７を参照しながら、本発明の一実施形態に係る動画の提供方法について説明する。図５は、動画提供方法の基本的な手順を示すシーケンス図である。図６、図７Ａ、７Ｂ、図８Ａ〜８Ｃおよび図９は、動画の選択方法を示す図である。図１０Ａ〜１０Ｄは、動画の表示方法を示す図である。
【００４８】
図５に示すように、キーワード管理部１０１には、コンテンツについて１以上の事前キーワードがコンテンツの提供前に登録される（ステップＳ１０１）。また、推薦動画管理部１１１には、推薦動画が設定キーワードに関連付けて登録される。
【００４９】
視聴状況提供部２０５は、コンテンツの視聴開始・終了、変更等、視聴イベントの発生（Ｓ１０３）に応じて、コンテンツの視聴状況を動画提供サーバ１００に送信する（Ｓ１０５）。視聴状況は、視聴者および視聴中のコンテンツを特定可能な情報を含む。
【００５０】
コンテンツの視聴状況が受信されると、キーワード特定部１０５は、コンテンツのＩＤ等を用いて、視聴中のコンテンツについて登録されているキーワードを特定する（Ｓ１０７）。ここで、キーワードとしては、通常、事前キーワードが特定されるが、リアルタイムキーワードが設定されている場合、リアルタイムキーワードがさらに特定される。
【００５１】
動画選択部１０７は、キーワードを含む動画検索要求を１以上の動画共有サーバ１０に送信する（Ｓ１０９）。各動画共有サーバ１０は、受信したキーワードを用いて、キーワードに該当する動画を検索し（Ｓ１１１）、検索した１以上の動画の動画情報を動画提供サーバ１００に送信する（Ｓ１１３）。また、動画選択部１０７は、キーワードに該当する設定キーワードを有する動画の動画情報を推薦動画管理部１１１から取得する。
【００５２】
ここで、動画選択部１０７は、キーワードに該当する、コンテンツの広告情報、視聴中のコンテンツの情報、視聴中のコンテンツに関連する情報等を、動画共有サーバ１０を介してサービスサーバ２０から取得してもよい。なお、以下の説明では、動画選択部１０７が動画（推薦動画を含む。）を取得する場合について説明する。
【００５３】
動画が取得されると、動画選択部１０７は、動画の指標値、コンテンツの視聴継続時間、視聴者または他の視聴者による動画の視聴ログに基づいて、取得した動画情報に基づいて所定数の動画を選択する（Ｓ１１５）。動画が選択されると、動画提供部１０９は、選択された動画の動画情報をテレビ２００に送信する（Ｓ１１７）。
【００５４】
テレビ２００では、動画取得部２０７が動画情報を受信すると、画像生成部２１１は、動画情報に含まれる関連画像等から再生待ち画像を生成し、映像表示部２１３が再生待ち画像を表示する（Ｓ１１９）。
【００５５】
視聴者により動画が指定されて再生（視聴）が指示されると（Ｓ１２１）、動画取得部２０７は、動画取得要求により指定された動画を動画提供サーバ１００から取得する（Ｓ１２３〜Ｓ１３１）。そして、動画再生部２０９は、動画の再生処理を行い、映像表示部２１３が動画映像を表示する（Ｓ１３３）。
【００５６】
視聴状況提供部２０５は、動画の再生（視聴）に応じて、動画の視聴状況を動画提供サーバ１００に送信する（Ｓ１３５）。視聴状況は、視聴者および視聴中の動画を特定可能な情報を含む。また、視聴ログ管理部１１３は、動画の視聴イベントの発生を示す視聴ログを生成して記録する（Ｓ１３７）。
【００５７】
動画の視聴状況が受信されると、キーワード特定部１０５は、視聴中の動画についてキーワードを特定する。ここで、動画のキーワードは、動画提供サーバ１００を介して、動画共有サーバ１０やサービスサーバ２０から取得される。また、動画のキーワードがキーワード管理部１０１に登録されている場合、該当するキーワードがキーワード管理部１０１から取得されてもよい。
【００５８】
動画選択部１０７は、キーワードに該当する動画の動画情報を動画共有サーバ１０および推薦動画管理部１１１から取得する。動画選択部１０７は、キーワードに該当する、視聴中の動画に関連するコンテンツ（現在提供中のコンテンツを含む。）の情報等を、動画共有サーバ１０を介してサービスサーバ２０から取得してもよい。
【００５９】
動画情報が取得されると、前述したように、所定数の動画の動画情報が選択されてテレビ２００に送信される。テレビ２００では、動画の再生待ち画像が更新して表示される。動画提供部１０９は、選択された動画のうち視聴者により指定された動画をテレビ２００に提供する。
【００６０】
また、キーワード管理部１０１には、コンテンツ自体の内容のリアルタイムな変化に応じて、コンテンツについて１以上のリアルタイムキーワードが登録される。
【００６１】
視聴中のコンテンツについてリアルタイムキーワードが登録されると、キーワード特定部１０５は、コンテンツのＩＤ等を用いて、登録されているキーワードを特定する。ここで、事前キーワードとは別にリアルタイムキーワードが登録されている場合、キーワード特定部１０５は、リアルタイムキーワードのみを特定してもよく、両方のキーワードを特定してもよい。
【００６２】
キーワードが特定されると、動画選択部１０７は、キーワードを用いて検索された、コンテンツに関連する動画（推薦動画を含む。）の動画情報を取得する。動画情報が取得されると、動画選択部１０７は、取得された動画から所定数の動画を選択する。ここで、リアルタイムキーワードおよび事前キーワードを用いて検索する場合には、リアルタイムキーワードを優先的に用いて、動画の選択を行うことが望ましい。
【００６３】
そして、動画提供部１０９は、選択された動画の動画情報をテレビ２００に送信する。テレビ２００では、動画の再生待ち画像が更新して表示される。動画提供部１０９は、選択された動画のうち視聴者により指定された動画をテレビ２００に提供する。
【００６４】
以下では、図６、図７Ａ、７Ｂ、図８Ａ〜８Ｃ、図９を参照しながら、動画の選択方法について説明する。以下では、５つの動画共有サーバ１０を含む動画提供システムにおいて、コンテンツに関連する３つの動画（推薦動画を含む。）を提供する場合を想定する。なお、提供する動画の数は、３つに限定されず、テレビ２００の表示性能に応じて適切に設定される。
【００６５】
（４−１．動画の指標値を用いた動画の選択）
図６には、動画情報に含まれる所定の指標値を用いて、指標の値が所定の基準を満たす動画を選択する方法が示されている。
【００６６】
動画選択部１０７は、キーワードを含む動画検索要求を５の動画共有サーバ１０に送信する（ステップＳ２０１）。動画検索要求は、キーワードに該当する所定の動画について、動画の動画情報を各動画共有サーバ１０から取得するための要求である。ここで、所定の動画とは、所定の指標値（動画の再生回数等）が上位ｎ位（例えば上位２位）以内の動画である。
【００６７】
なお、動画選択部１０７は、コンテンツのカテゴリを含む動画検索要求を用いて、カテゴリにより絞込み検索された動画の動画情報を取得してもよい。ここで、コンテンツのカテゴリは、サービスサーバ２０等を用いて、コンテンツのＩＤ等から特定される。
【００６８】
動画検索要求を受信すると、各動画共有サーバ１０は、ｎ個（例えば２個）の動画を検索し（Ｓ２０２）、検索した動画の動画情報を動画提供サーバ１００に送信する（Ｓ２０３）。
【００６９】
動画情報が取得されると、動画選択部１０７は、所定の指標値を用いて、取得した動画（例えば合計１０個）の動画情報から所定数（例えば２個）の動画の動画情報を選択する（Ｓ２０５）。なお、取得した動画情報が重複する場合、重複する動画情報が除外される。この場合、所定数の動画は、指標値（動画の再生回数等）が１位および２位の動画として、１０個の動画から選択される。
【００７０】
なお、動画の選択に用いられる所定の指標は、例えば視聴者の指示に応じて、動画の再生回数、関連度、人気度、評価度等から指定されてもよい。
【００７１】
ここで、動画の再生回数、関連度を指標として用いる場合、動画共有サーバ１０の特性（サービス地域、管理対象となる動画、利用対象となるユーザ等）に拘らずに、指標値の客観性をある程度確保することができる。よって、一般の視聴者が所望する動画を適切に選択することができる。
【００７２】
一方、動画の人気度、評価度等を指標として用いる場合、指標値に動画共有サーバ１０の特性が反映され易いので、指標値の客観性を確保することができない場合がある。例えば、人気度および評価度には、各動画共有サーバ１０のサービス地域、管理対象となる動画、利用対象となるユーザの特性が反映されてしまう。よって、人気度、評価度を指標として用いる場合、動画の提供元となる動画共有サーバ１０の特性を考慮して、指標値を評価する必要がある。
【００７３】
このため、視聴中のコンテンツの提供地域とサービス地域の一致度、視聴中のコンテンツのカテゴリに対応する動画の管理数等に応じて、各動画共有サーバ１０を提供元とする動画の指標値を重み付け処理してもよい（Ｓ２０４）。また、サービス地域の種類・数、管理対象となる動画の種類・数、利用対象となるユーザの特性・数に応じて、各動画共有サーバ１０に対応する動画の指標値を重み付け処理してもよい。
【００７４】
また、推薦動画については、キーワードに該当し、例えば、再生回数が1番多い動画の動画情報が推薦動画管理部１１１から取得される（Ｓ２０６）。そして、推薦動画は、動画提供サーバ１００が管理している動画よりも優先的に選択される。しかし、推薦動画を優先的に選択する代わりに、推薦動画および他の動画を区別せずに、前述したように動画の選択が行われてもよい。
【００７５】
これにより、動画の指標値を用いて、動画共有サーバ１０および推薦動画管理部１１１から所定数（例えば１個の推薦動画を含む合計３個）の動画を選択することができる。
【００７６】
（４−２．コンテンツの視聴継続時間を用いた動画の選択）
図７Ａ、７Ｂには、コンテンツの視聴継続時間を用いた動画の選択方法が示されている。なお、以下では、図６と重複する部分（特に指標値の重み付け処理、および推薦動画の選択）についての説明が省略されている。
【００７７】
図７Ａに示すように、動画の選択では、同一コンテンツの視聴継続時間に応じた所定の指標を用いて、指標の値が所定の基準を満たす動画を選択するようにしてもよい。この場合、コンテンツの視聴状況から同一コンテンツの視聴継続時間を判断し（Ｓ２１１）、動画検索要求により特定の指標を指定することができる（Ｓ２１２）。なお、動画検索要求の送信〜動画の選択に至る処理（Ｓ２１３〜Ｓ２１６）については、前述と同様である。
【００７８】
動画の選択は、例えば、視聴開始時に動画の人気度または評価度を用いて、視聴継続時間が長くなると、再生回数または関連度を用いて行われてもよい。これにより、視聴開始時には、視聴者の関心を一次的に得られるような動画を選択し、視聴継続時間が長くなると、視聴者の関心を二次的に得られるような動画を選択して提供することができる。
【００７９】
また、図７Ｂに示すように、動画の選択では、同一コンテンツの視聴継続時間に応じた所定の指標の値を用いて、指標の値が所定の基準を満たす動画を選択するようにしてもよい。この場合、コンテンツの視聴状況から同一コンテンツの視聴継続時間を判断し（Ｓ２２４）、選択すべき動画に対応する指標値を指定することができる（Ｓ２２５）。なお、動画検索要求の送信〜動画情報の受信に至る処理（Ｓ２２１〜Ｓ２２３）については、前述と同様である。
【００８０】
動画の選択は、例えば、同一コンテンツの視聴継続時間に応じて、指標値が１位と２位、３位と４位、・・・というように指標値が高い動画から順に行われてもよい。これにより、コンテンツの変更時（いわゆるチャンネルザッピングを含む。）に相当する視聴開始時に、視聴者の関心を一次的に得られるような動画を選択して提供することができる。
【００８１】
（４−３．視聴者による動画の視聴ログを用いた動画の選択）
図８Ａ〜８Ｃには、視聴者による動画の視聴ログを用いた動画の選択方法が示されている。
【００８２】
図８Ａに示すように、動画の選択では、視聴者による動画の視聴ログを用いて、特定の動画共有サーバ１０が管理している動画を優先的に選択するようにしてもよい。この場合、視聴者の視聴ログから各動画共有サーバ１０の利用状況を判断し（Ｓ２３１）、各動画共有サーバ１０から取得する動画の数を指定することができる（Ｓ２３２）。そして、動画検索要求に含まれる取得数を用いて、キーワードに該当し、指標値が高い方から取得数を満たす数の動画の動画情報が取得される（Ｓ２３３〜Ｓ２３５）。
【００８３】
動画の選択は、例えば、視聴者が視聴した動画の管理数が多い動画共有サーバ１０から多くの動画を取得し、管理数が少ない動画共有サーバ１０から少ない動画を取得して行われてもよい。同様に、推薦動画管理部１１１からの動画の選択についても、視聴者による推薦動画の視聴状況に応じて行われてもよい。
【００８４】
また、図８Ｂに示すように、動画の選択では、視聴者による動画の視聴ログに応じた所定の指標を用いて、指標の値が所定の基準を満たす動画を選択してもよい。この場合、視聴者の視聴ログから動画の視聴状況を判断し（Ｓ２４１）、動画検索要求により特定の指標を指定することができる（Ｓ２４２）。
【００８５】
動画の選択は、例えば、視聴者が再生回数の多い動画を視聴する傾向にあれば、再生回数が特定の指標として指定され、再生回数が多い動画が取得される。また、視聴者が人気度の高い動画を視聴する傾向にあれば、人気度が高い動画が取得される。
【００８６】
また、図８Ｃに示すように、動画の選択では、視聴者による動画の視聴ログを用いて、視聴中のコンテンツに関連するコンテンツについて、視聴者により視聴された動画を優先的に選択するようにしてもよい。
【００８７】
この場合、視聴者の視聴ログから、関連するコンテンツについて、各動画共有サーバの利用状況を判断し（Ｓ２５１）、動画の取得数を指定することができる（Ｓ２５２）。そして、動画検索要求に含まれる取得数を用いて、キーワードに該当し、指標値が高い方から取得数を満たす数の動画の動画情報が取得される（Ｓ２５３〜Ｓ２５５）。
【００８８】
また、関連するコンテンツについて視聴された動画の特性に応じた動画を優先的に提供してもよい。さらに、視聴された動画のうち、人気度、評価度等の高い動画を優先的に提供してもよく、視聴者のプロフィールに適した動画を優先的に提供してもよい。
【００８９】
なお、視聴中のコンテンツに関連するコンテンツは、サービスサーバ２０を用いて、視聴中のコンテンツのＩＤ等から特定される。また、関連するコンテンツについて視聴された動画および動画の特性は、視聴者の視聴ログを用いて、関連するコンテンツのＩＤから特定される。
【００９０】
これにより、視聴者による動画の視聴ログを用いて、視聴者が所望する動画を選択して提供することができる。なお、動画の選択では、視聴ログを用いて、視聴者が既に視聴した動画が繰返し選択されないようにしてもよい。ここで、他の視聴者は、視聴者とプロファイルの条件が近似する視聴者として選択されてもよい。
【００９１】
（４−４．他の視聴者による動画の視聴ログを用いた動画の選択）
図９には、他の視聴者による動画の視聴ログを用いた動画の選択方法が示されている。
【００９２】
図９に示すように、動画の選択では、他の視聴者による動画の視聴ログを用いて、視聴中のコンテンツ、または視聴中のコンテンツに関連するコンテンツについて、他の視聴者により視聴された動画を優先的に選択するようにしてもよい。
【００９３】
この場合、他の視聴者の視聴ログから、視聴中のコンテンツおよび／または関連するコンテンツについて、各動画共有サーバの利用状況を判断し（Ｓ２６１）、動画の取得数を指定することができる（Ｓ２６２）。そして、動画検索要求に含まれる取得数を用いて、キーワードに該当し、指標値が高い方から取得数を満たす数の動画の動画情報が取得される（Ｓ２６３〜Ｓ２６５）。
【００９４】
また、視聴中のコンテンツおよび／または関連するコンテンツについて視聴された動画の特性に応じた動画を優先的に提供してもよい。さらに、視聴された動画のうち、人気度、評価度等の高い動画を提供してもよく、視聴者のプロフィールに適した動画を優先的に提供してもよい。
【００９５】
なお、視聴中のコンテンツおよび／または関連するコンテンツについて視聴された動画および動画の特性は、他の視聴者の視聴ログを用いて、コンテンツおよび／または関連するコンテンツのＩＤから特定される。
【００９６】
（４−５．動画の表示方法）
図１０Ａ〜１０Ｄには、動画の表示方法の一例が示されている。
【００９７】
図１０Ａ〜１０Ｄでは、表示画面の左側にメイン領域Ａｍが設定され、右側にサブ領域Ａｓが設定されている。メイン領域Ａｍには、視聴中のコンテンツまたは動画が表示され、サブ領域Ａｓには、動画共有サーバ１０等から取得された動画情報のリスト等が表示される。
【００９８】
図１０Ａに示す状態Ｓｔ１では、視聴中のコンテンツＣ１がメイン領域Ａｍに表示され、取得された動画情報から動画ＭＰ１、ＭＰ２の再生待ち画像、および広告情報ＣＡがサブ領域Ａｓに表示されている。視聴者は、再生待ち画像ＭＰ１、ＭＰ２の再生ボタンＢ１を操作して動画の再生（視聴）を指示し、広告情報ＣＡの購入ボタンＢ２を操作して詳細の閲覧、購入手続き等を指示することができる。
【００９９】
ここで、コンテンツＣ１は、野球チームＧ、Ｄの試合実況中継である。そして、コンテンツＣ１について、キーワード「Ｇ  ｖｓ．Ｄ」、「○○」、「延長戦」が登録されている。キーワード「Ｇ  ｖｓ．Ｄ」は、実況中継のチームの組合せであり、キーワード「○○」は、チームＤで最近話題の選手の名前であり、いずれも事前キーワードとして登録されている。キーワード「延長戦」は、延長１１回ウラでチームＤの攻撃が実況中継されているので、リアルタイムキーワードとして登録されている。
【０１００】
動画ＭＰ１「Ｍ  ｖｓ．Ｓ延長戦」は、キーワード「延長戦」に該当する動画として選択されている。動画ＭＰ２「○○ヘディング事件」は、キーワード「○○」に該当する動画として選択されている。また、広告情報ＣＡ「コミック□□□」は、チームＤを題材にしたコミックであり、キーワード「Ｇ  ｖｓ．Ｄ」に該当する広告情報として選択されている。なお、動画、広告情報等の選択は、単一のキーワードを用いて行われてもよく、複数のキーワードを用いて行われてもよい。
【０１０１】
図１０Ｂに示す状態Ｓｔ２では、視聴者の操作に応じて、動画ＭＰ２が選択状態にある。図１０Ｃに示す状態Ｓｔ３では、視聴者の操作に応じて、動画ＭＰ２の選択が決定された状態にある。状態Ｓ３では、動画ＭＰ２の再生待ち画像とともに、動画ＭＰ２の詳細ＤＩがサブ領域Ａｓに表示されている。
【０１０２】
図１０Ｄに示す状態Ｓｔ４では、状態Ｓｔ２またはＳｔ３での再生ボタンＢ１の操作に応じて、動画ＭＰ２の再生（視聴）が開始されている。状態Ｓｔ４では、動画ＭＰ２の再生映像がメイン領域Ａｍに表示され、動画ＭＰ２に関連する動画ＭＰ３、ＭＰ４、コンテンツ（現在提供中のコンテンツ）Ｃ１の情報がサブ領域Ａｓに表示されている。なお、動画に関連するコンテンツは、現在提供中以外のコンテンツでもよい。視聴者は、コンテンツＣ１の視聴ボタンＢ３を操作して、現在提供中のコンテンツの視聴を指示することができる。
【０１０３】
ここで、動画ＭＰ２「○○ヘディング事件」について、キーワード「珍プレイ」、「○○」、「ヘディング」が登録されている。動画ＭＰ３「スーパーゴール」は、キーワード「ヘディング」に該当する動画として選択され、動画ＭＰ４「珍プレイ好プレイ」は、キーワード「珍プレイ」に該当する動画として選択されている。また、コンテンツＣ１は選手「○○」が所属するチームＤについて現在提供中のコンテンツとして選択されている。
【０１０４】
［５．動画提供サーバ１００のハードウェア構成］
図１１は、動画提供サーバのハードウェア構成例を示すブロック図である。動画提供動画提供サーバ１００は、主に、ＣＰＵ１５１、ＲＯＭ１５３、ＲＡＭ１５５、ホストバス１５７、ブリッジ１５９、外部バス１６１、インタフェース１６３、入力装置１６５、出力装置１６７、ストレージ装置１６９、ドライブ１７１、接続ポート１７３、通信装置１７５を含んで構成される。
【０１０５】
ＣＰＵ１５１は、演算処理装置および制御装置として機能し、ＲＯＭ１５３、ＲＡＭ１５５、ストレージ装置１６９、またはリムーバブル記録媒体１７７に記録された各種プログラムに従って、動画提供サーバ１００の動作を少なくとも部分的に制御する。
【０１０６】
ＲＯＭ１５３は、ＣＰＵ１５１が用いるプログラムやパラメータ等を記憶する。ＲＡＭ１５５は、ＣＰＵ１５１が実行するプログラム、プログラム実行時のパラメータ等を一時記憶する。プログラムは、他の構成要素と協働して、キーワード管理部１０１、視聴状況取得部１０３、キーワード特定部１０５、動画選択部１０７、動画提供部１０９、推薦動画管理部１１１、視聴ログ管理部１１３等として機能する。
【０１０７】
ＣＰＵ１５１、ＲＯＭ１５３、ＲＡＭ１５５は、ホストバス１５７により互いに接続される。ホストバス１５７は、ブリッジ１５９を介して外部バス１６１に接続される。
【０１０８】
入力装置１６５は、例えば、マウス、キーボード、タッチパネル、ボタン、スイッチ等、動画提供サーバ１００のユーザが操作可能な操作手段である。入力装置１６５は、例えば上記の操作手段を用いてユーザにより入力された操作情報に基づいて入力信号を生成し、ＣＰＵ１５１に出力する入力制御回路等を含んで構成される。ユーザは、入力装置１６５の操作を介して、動画提供サーバ１００に対して各種のデータを入力し、処理動作を指示する。
【０１０９】
出力装置１６７は、例えば、液晶ディスプレイ等の表示手段である。出力装置１６７は、動画提供サーバ１００の処理結果を出力する。
【０１１０】
ストレージ装置１６９は、データ格納用の装置であり、例えば、ＨＤＤ等の磁気記憶デバイス等を含む。ストレージ装置１６９は、ＣＰＵ１５１が実行するプログラム、各種データ、外部から取得された各種データ等を格納する。ストレージ装置１６９は、キーワード、推薦動画、視聴ログ等を格納する。
【０１１１】
ドライブ１７１は、記録媒体用リーダライタであり、動画提供サーバ１００に内蔵または外付けされる。ドライブ１７１は、装着される磁気ディスク等のリムーバブル記録媒体１７７に対して、記録済みデータを読出してＲＡＭ１５５に出力し、記録対象のデータを書き込む。
【０１１２】
接続ポート１７３は、例えば、ＵＳＢポート等、外部機器１７９を動画提供サーバ１００に直接接続するためのポートである。動画提供サーバ１００は、接続ポート１７３に接続された外部機器１７９に対して、接続ポート１７３を介してデータを取得し、データを提供する。
【０１１３】
通信装置１７５は、ネットワークＮＷに接続するための通信デバイス等から構成される通信インタフェースである。通信装置１７５は、例えば、有線または無線ＬＡＮ用の通信カード等である。通信装置１７５は、テレビ２００、動画共有サーバ１０、サービスサーバ２０等との間で各種データを送受信する。
【０１１４】
［６．まとめ］
以上説明したように、本実形態に係る動画提供サーバ１００によれば、コンテンツに関連する動画の検索を本来の目的としてキーワードを登録することで、コンテンツの視聴者が所望する動画を適切に検索して提供することができる。
【０１１５】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【符号の説明】
【０１１６】
１０    動画共有サーバ
２０    サービスサーバ
１００    動画提供サーバ
１０１    キーワード管理部
１０３    視聴状況取得部
１０５    キーワード特定部
１０７    動画選択部
１０９    動画提供部
１１１    推薦動画管理部
１１３    視聴ログ管理部
２００    テレビジョン受像機
【図１】
0005415225.tif 000002
【図２】
0005415225.tif 000003
【図３】
0005415225.tif 000004
【図４】
0005415225.tif 000005
【図５】
0005415225.tif 000006
【図６】
0005415225.tif 000007
【図７Ａ】
0005415225.tif 000008
【図７Ｂ】
0005415225.tif 000009
【図８Ａ】
0005415225.tif 000010
【図８Ｂ】
0005415225.tif 000011
【図８Ｃ】
0005415225.tif 000012
【図９】
0005415225.tif 000013
【図１０Ａ】
0005415225.tif 000014
【図１０Ｂ】
0005415225.tif 000015
【図１０Ｃ】
0005415225.tif 000016
【図１０Ｄ】
0005415225.tif 000017
【図１１】
0005415225.tif 000018